(57)【特許請求の範囲】
【請求項１】
連続相と、連続相中の懸濁粒子と、ポリマーからなる基剤とを含む水性組成物であって、前記ポリマーは
アクリル酸および／またはメタクリル酸および／またはこれらの塩のいずれかの少なくとも１つのＡモノマーと、
アルキルアクリレートおよび／またはメタクリレートの少なくとも１つのＢモノマーと、
以下の式（Ｉ）に対応する少なくとも１つのＣモノマーであって、
Ｔ−［（ＥＯ）ｎ（ＰＯ）ｎ’（ＢＯ）ｎ’’］−Ｚ（Ｉ）
式中、
Ｔは、アクリレートの残基、メタクリレートの残基、ビニルまたはアリル基を表し、
［（ＥＯ）ｎ（ＰＯ）ｎ’（ＢＯ）ｎ’’］は、ＥＯエトキシルユニット、ＰＯプロポキシルユニットおよびＢＯブトキシルユニットから選択される、交互にまたは統計的にブロックに分配されるアルコキシル化ユニットからなるポリアルコキシル化鎖を表し、
ｎ、ｎ’、ｎ’’は、それぞれ互いに独立に、０または１から１５０で変化する整数を表し、ｎ、ｎ’、ｎ’’の合計は０ではなく、
Ｚは、１６から３２個の炭素原子を範囲とする線状または分岐状炭化水素化脂肪鎖を表す、Ｃモノマーと、
少なくとも１つの架橋性モノマーＤと
からなり、
前記ポリマーが、ポリマーの総重量に対して、
１０から５０重量％のモノマーＡ、
４０から８０重量％のモノマーＢ、
０．０５から１５重量％のモノマーＣおよび
０．０５から１０重量％のモノマーＤを含み、
該組成物が、７以下のｐＨを有する、
水性組成物。
【請求項２】
前記組成物が、５．５以下のｐＨを有する、請求項１に記載の組成物。
【請求項３】
前記ポリマーのモノマーＣが、ＣＨ２＝Ｃ（Ｒ１）−ＣＯＯ−［（ＥＯ）ｎ（ＰＯ）ｎ’（ＢＯ）ｎ’’］−Ｚの式（ＩＩＩ）に従い、Ｒ１がＨまたはＣＨ３を表し、
ｎ、ｎ’、ｎ’’は、それぞれ互いに独立に、０または１から１５０で変化する整数を表し、ｎ、ｎ’、ｎ’’の合計は０ではなく、
Ｚは、１６から３２個の炭素原子を範囲とする線状または分岐状炭化水素化脂肪鎖を表す、
請求項１または２に記載の組成物。
【請求項４】
基剤の割合が、組成物の総重量に対して０．１から２０重量％で変化することを特徴とする、請求項１から３のいずれかに記載の組成物。
【請求項５】
透明な連続相および連続相中に分配される懸濁粒子を含み、７未満のｐＨを有する安定な水性組成物の調製のための基剤の使用であって、前記基剤は
アクリル酸および／またはメタクリル酸および／またはこれらの塩のいずれかの少なくとも１つのＡモノマーと、
アルキルアクリレートおよび／またはメタクリレートの少なくとも１つのＢモノマーと、
以下の式（Ｉ）に対応する少なくとも１つのＣモノマーであって、
Ｔ−［（ＥＯ）ｎ（ＰＯ）ｎ’（ＢＯ）ｎ’’］−Ｚ（Ｉ）
式中、
Ｔは、アクリレートの残基、メタクリレートの残基、ビニルまたはアリル基を表し、
［（ＥＯ）ｎ（ＰＯ）ｎ’（ＢＯ）ｎ’’］は、ＥＯエトキシルユニット、ＰＯプロポキシルユニットおよびＢＯブトキシルユニットから選択される、交互にまたは統計的にブロックに分配されるアルコキシル化ユニットからなるポリアルコキシル化鎖を表し、
ｎ、ｎ’、ｎ’’は、それぞれ互いに独立に、０または１から１５０で変化する整数を表し、ｎ、ｎ’、ｎ’’の合計は０ではなく、
Ｚは、１６から３２個の炭素原子を範囲とする線状または分岐状炭化水素化脂肪鎖を表す、Ｃモノマーと、
少なくとも１つの架橋モノマーＤと
からなり、
前記ポリマーが、ポリマーの総重量に対して、
１０から５０重量％のモノマーＡ、
４０から８０重量％のモノマーＢ、
０．０５から１５重量％のモノマーＣおよび
０．０５から１０重量％のモノマーＤを含む、
使用。
【請求項６】
７未満のｐＨを有する化粧料組成物の調製のための請求項５に記載の基剤の使用。
【発明の詳細な説明】
【技術分野】
【０００１】
本発明は、懸濁粒子を含む安定な水性組成物の配合に関する。
【背景技術】
【０００２】
これらの組成物を配合する際に遭遇する問題は、主に、組成物中の粒子の均質分布および経時的な、特に貯蔵中のこれらの安定性にある。
【０００３】
これらの組成物の調製において、このパラメータはもちろん、粘度、ｐＨ、清浄度、安定性のような他の本質的な基準のうち、適合されるべき基準の１つに過ぎない。故に、これらのパラメータすべてを最適に調整することが必要であり、これが本発明の目的である。
【０００４】
以下の説明において、化粧料組成物の配合を参照するが、本発明は、この適用範囲に制限されず、こうした組成物を実装するいずれかの他のセクター、例えば洗浄剤に拡張される。
【０００５】
非特許文献１において、ＪＷ  Ｗｉｅｃｈｅｒｓは、驚くべきことに、皮膚の元々のｐＨは約４．７の酸性であり、大部分の利用可能な化粧料組成物が約６以上のより高いｐＨを有することを記述している。こうしたｐＨ変動は、この変動に日常的に曝される皮膚において、例えば人の微生物相の成長の観点において、影響を与え、この著者は、４．７付近のｐＨを有する化粧料配合物によって与えられる利益を強調している。特に、特定の有効成分の浸透が増大すること、ならびにこれらのｐＨ値での保存が良好であることが観察されており、これにより防腐剤の使用を制限できる。
【０００６】
粒子の存在によって生じる問題に加えて、酸性の水性組成物の配合者にとっては、これらの組成物の連続相が安定ではなく、迅速に相分離に向かって変化するので、問題となる。この現象は、組成物が懸濁粒子を含み、容器の底部または表面に引っ張られこともある場合に特に視覚可能である。
【０００７】
特許文献１には、毛髪固定剤として使用される６から７の間のｐＨで配合される化粧料組成物が記載されている。これらは、メタクリル酸、エチルアクリレート、重合性末端を含む疎水性モノマー、例えばアクリル酸、エトキシル化中間部および線状炭化水素化脂肪鎖からなる疎水性末端および架橋モノマーの重合を通じて得られるＨＡＳＥ（疎水変成されたアルカリ膨潤性）ポリマーからなる増粘剤を含有する。こうして配合された組成物は、これらが噴霧可能であり、毛髪上で垂れ落ちないだけでなく、一旦塗布されたら迅速に乾燥するようなレオロジーを有する。この文献は、主に使用される場合の化合物の特性を記載している。
【先行技術文献】
【特許文献】
【０００８】
【特許文献１】国際公開第２００３／０６１６１５号
【非特許文献】
【０００９】
【非特許文献１】Ｃｏｓｍｅｔｉｃｓ＆Ｔｏｉｌｅｔｒｉｅｓ（Ｒ）ｒｅｖｉｅｗ，ｖｏｌ．１２３，Ｎ．１２  ｏｆ  Ｄｅｃｅｍｂｅｒ  ２００８，「Ｆｏｒｍｕｌａｔｉｎｇ  ａｔ  ｐＨ  ４−５：Ｈｏｗ  Ｌｏｗｅｒ  ｐＨ  Ｂｅｎｅｆｉｔｓ  ｔｈｅ  Ｓｋｉｎ  ａｎｄ  Ｆｏｒｍｕｌａｔｉｏｎｓ」
【発明の概要】
【発明が解決しようとする課題】
【００１０】
本発明が解決しようとする課題は、透明な連続相およびこの連続相中に分配された懸濁粒子を含む水性組成物の調製であり、これらの組成物のｐＨは７未満であり、これらの組成物は安定であるということである。
【課題を解決するための手段】
【００１１】
重要な効果は、特にこうした組成物の貯蔵中に、粒子が連続相において懸濁しており、透明なままであることである。技術的機能または単なる審美性機能を有するこれらの粒子を視覚化できなければならず、故にこれらはいかなる時も視覚できなければならない。
【００１２】
不思議なことに、著者は、増粘剤によって与えられる組成物の粘度と、組成物中に懸濁粒子を維持するための力との間に相関はないことを観察した。
【００１３】
本発明によれば、ポリマーは、水性酸組成物の配合に対して見出されたものであり、この会合体が、連続相中の粒子の均一分布を可能にすると同時に、連続相中の増粘剤および清浄剤の両方として作用し、この組成物は経時的に安定であり、特に視覚的に安定であることが見出された。
【発明を実施するための形態】
【００１４】
本発明に記載のポリマーは、以下のモノマーから得られる：
重合性ビニル官能基および場合によって塩の形態でのカルボニル基を有する少なくとも１つのアニオン性Ａモノマー、
ビニル重合官能基を有する少なくとも１つの非イオン性Ｂモノマー、
ビニル重合官能基および疎水性炭化水素化鎖を有する少なくとも１つのオキシアルキル化Ｃモノマー、ならびに
少なくとも１つの架橋性Ｄモノマー。
【００１５】
実施形態によれば、Ｃモノマーは、この式（Ｉ）に従う。
【００１６】
Ｔ−［（ＥＯ）ｎ（ＰＯ）ｎ’（ＢＯ）ｎ’’］−Ｚ（Ｉ）
式中、Ｔは、Ｃモノマーの共重合を可能にする１つの末端部を表し、
［（ＥＯ）ｎ（ＰＯ）ｎ’（ＢＯ）ｎ’’］は、ＥＯエトキシルユニット、ＰＯプロポキシルユニットおよびＢＯブトキシルユニットから選択され、交互にまたは統計的にブロックに分配されるアルコキシル化ユニットからなるポリアルコキシル化鎖を表し、
ｎ、ｎ’、ｎ’’は、それぞれ互いに独立に、０または１から１５０で変化する整数を表し、ｎ、ｎ’およびｎ’’の合計は０ではなく、ならびに
Ｚは、少なくとも１６個の炭素原子の線状または分岐状脂肪鎖を表す。
【００１７】
同様に、Ｃモノマーは次の式（ＩＩ）において以下のように表すことができる。
【００１８】
Ｔ−Ａ−Ｚ、
式中、
Ｔは、Ｃモノマーの共重合を可能にする１つの末端部を表し、
Ａは、以下で構成されるポリマー性鎖を表し：
式−ＣＨ２ＣＨＲ１Ｏ−（Ｒ１は１から４個の炭素を含むアルキル基、例えばメチルまたはエチル基を表す。）のアルキレンオキシドのｍユニットであって、ｍは０から１５０で変化するｍユニット、
式−ＣＨ２ＣＨＲ２Ｏ−（Ｒ２は１から４個の炭素を含むアルキル基、例えばメチルまたはエチル基を表す。）のアルキレンオキシドのｐユニットであって、ｐは０から１５０で変化するｐユニット、
エチレンオキシドのｎユニットであって、ｎは０から１５０、または１０または１５から１５０、または１０または１５から１００、または１５から５０、または１５から３０で変化するｎユニット、
ここでｍ＋ｎ＋ｐ＞０であり、
式−ＣＨ２ＣＨＲ１Ｏ−のアルキレンオキシドユニット、式−ＣＨ２ＣＨＲ２Ｏ−のアルキレンオキシドユニットおよびエチレンオキシドユニットは、交互にまたは統計的にブロック状であり；
Ｚは、少なくとも１６個の炭素原子の線状または分岐状の脂肪鎖を表す。
【００１９】
本発明の実施形態によれば、ポリマーは、以下のモノマーから得られる。
【００２０】
アクリル酸および／またはメタクリル酸および／またはこれらの塩のいずれかの少なくとも１つのＡモノマー、
アルキルアクリレートおよび／またはメタクリレートの少なくとも１つのＢモノマー、
以下の式（Ｉ）に対応する少なくとも１つのＣモノマーであって、
Ｔ−［（ＥＯ）ｎ（ＰＯ）ｎ’（ＢＯ）ｎ’’］−Ｚ（Ｉ）
式中、
Ｔは、Ｃモノマーの共重合を可能にする１つの末端部を表し、
［（ＥＯ）ｎ（ＰＯ）ｎ’（ＢＯ）ｎ’’］は、ＥＯエトキシルユニット、ＰＯプロポキシルユニットおよびＢＯブトキシルユニットから選択される、交互にまたは統計的にブロックに分配されるアルコキシル化ユニットからなるポリアルコキシル化鎖を表し、
ｎ、ｎ’、ｎ’’は、それぞれ互いに独立に、０または１から１５０で変化する整数を表し、ｎ、ｎ’、ｎ’’の合計は０ではなく、
Ｚは、少なくとも１６個の炭素原子の線状または分岐状脂肪鎖を表す、Ｃモノマー、および
少なくとも１つの架橋性Ｄモノマーから得られる。
【００２１】
故に、本発明は、透明な連続相および連続相中に分配された懸濁粒子を含み、７未満のｐＨを有し、上記Ａ、Ｂ、ＣおよびＤモノマーの重合から得られるポリマーを含む安定な水性組成物を得るための基剤に関する。本発明はまた、こうして調製された水性の安定な組成物に関する。
【００２２】
本発明およびこの用途をより詳細に議論する前に、説明および特許請求の範囲に使用される特定の用語を以下に定義する。
【００２３】
本発明の組成物は、上記で示されるような、組成物の適用分野にかかわらず、いかなる形態であっても、少なくとも１つの活性成分（活性剤）または活性成分の混合物を含んでいてもよい。有効成分は、組成物の連続相に溶解していてもよく、および／または粒子の形態であってもよく、連続相中に不溶性であってもよく、懸濁粒子のすべてまたは一部を構成してもよい。
【００２４】
「本発明の組成物を得るための懸濁粒子」とは、固体物を意味し、これらの固体物は、平坦または中空、液体または気体であり、場合によって異なる形態、テクスチャ、構造、組成、色および最終特性によって特徴付けられる。例として、本発明者らは、角質除去粒子（例えばポリエチレン粒子、粉砕したフルーツシェル、軽石）、栄養粒子（例えばコラーゲン球体）、真珠光沢粒子（例えばチタンマイカ、ジステアレートグリコール）および審美性粒子（例えば空気泡、フレーク、顔料、場合によって着色されている。）を挙げることができる。組成物中の空気泡の懸濁に関して、粒子は、特に１、２または３ｍｍのオーダーのサイズを有していてもよい。
【００２５】
「アルキル」とは、線状または分岐状ＣｍＨ２ｍ＋１基を意味し、ここでｍは１から１０、好ましくは１から６、１から３、または１から２で変化する。これらがどのように実現されるかで、市場で入手可能なモノマーに関して言えば、これはメチルまたはエチル基である。
【００２６】
「ＰＯプロポキシルユニット」および「ＢＯブトキシルユニット」とは、これらの炭素の一方または他方において、メチルまたはエチル基それぞれを保持するエトキシルユニットを意味する。エトキシルユニットは、−ＣＨ２−ＣＨ２−Ｏ−ユニットである。
【００２７】
「脂肪鎖」とは、少なくとも１６個の炭素原子、または１６から３６個の炭素原子、または１６から３２個の炭素原子を含む線状または分岐状の脂肪酸の脂肪族炭化水素化鎖を意味する。
【００２８】
本発明によれば、組成物の清浄度または透明度は、組成物の透過率によって測定される。透過率を決定するための方法は、実施例１の材料および方法において以下に記載される。これはパーセンテージ単位で表され、組成物は、少なくとも４０％の透過率を示す場合に清浄または透明であると考えられる。
【００２９】
与えられる清浄度に加えて、本発明の基剤は、組成物中に存在するいずれかの懸濁粒子を維持できる。故に、こうして配合された組成物を使用する際には、組成物が数週間、数ヶ月にわたって貯蔵されている場合であっても、いかなる混合段階も必要としない。
【００３０】
本発明の基剤は、５．５以下または４から５の間のｐＨを有する組成物の調製に特によく適している。こうしたｐＨは、ヒトの皮膚の平均ｐＨ値に近く、故に化粧料として大きな関心がもたれている。
【００３１】
こうして定義された基剤は、好ましくは、単独または組み合わせて考慮された以下の特徴を有する：
Ｔ末端部は、アクリル酸エステル、メタクリル酸エステル、マレイン酸エステル、イタコン酸エステルまたはクロトン酸エステルの群に属する不飽和重合性機能を含有する基を表す。特に、Ｔ末端部は、アクリレート、メタクリレート、アリル、ビニル基から選択されてもよい。
【００３２】
実施形態によれば、Ｃモノマーはこの式（ＩＩＩ）に従う：
ＣＨ２＝Ｃ（Ｒ１）−ＣＯＯ−［（ＥＯ）ｎ（ＰＯ）ｎ’（ＢＯ）ｎ’’］−Ｚ
式中：
Ｒ１は、ＨまたはＣＨ３を表し、
ｎ、ｎ’、ｎ’’およびＺは以下の式（Ｉ）と同じ定義を有する。
【００３３】
同様に、Ｃモノマーは式（ＩＶ）に従う：
ＣＨ２＝Ｃ（Ｒ１）−ＣＯＯ−Ａ−Ｚ
式中：
Ｒ１は、ＨまたはＣＨ３を表し、
ｎ、ｎ’、ｎ’’、ＡおよびＺは、以下の式（ＩＩ）と同じ定義を有する。
【００３４】
本発明に記載の基剤は、１つ以上の架橋モノマーＤを含む。１つの実施形態によれば、本発明の基剤は単一架橋モノマーを有する。別の実施形態によれば、本発明の基剤は２つの架橋モノマーを有する。架橋モノマーは、３次元ネットワークの形態のコポリマーを調製するために使用される。
【００３５】
本発明によれば、使用されるモノマーは、ポリ不飽和化合物である。この化合物は、２、３以上のエチレン性不飽和を有することができる。
【００３６】
架橋モノマーは、親水性、疎水性または両親媒性の特徴を有することができる。
【００３７】
これらの化合物の例としては、ジ（メタ）アクリレート化合物、例えばポリアルキレングリコールのジ（メタ）アクリレート、特にポリプロピレングリコールのジ（メタ）アクリレート、エチレングリコールのジ（メタ）アクリレート、ポリエチレングリコールのジ（メタ）アクリレート、トリエチレングリコールのジ（メタ）アクリレート、１，３−ブチレングリコールのジ（メタ）アクリレート、１，６−ブチレングリコールジ（メタ）アクリレート、１，６−ヘキサンジオールジ（メタ）アクリレート、ネオペンチルグリコールジ（メタ）アクリレート、１，９−ノナンジオールジ（メタ）アクリレートだけでなく、２，２’−ビス（４−（アクリルオキシ−プロピルオキシフェニル）プロパン、２，２’−ビス（４−（アクリルオキシジエトキシ−フェニル）プロパンおよびアクリル酸亜鉛；トリ（メタ）アクリレート化合物、例えばトリメチロールプロパンのトリ（メタ）アクリレート、トリ（メタ）アクリレートトリメチロールエタン、トリ（メタ）アクリレートペンタエリスリトールおよびテトラメチロールメタンのトリ（メタ）アクリレート；テトラ（メタ）アクリレート化合物、例えばジトリメチロールプロパンテトラ（メタ）アクリレート、テトラメチロールメタンテトラ（メタ）アクリレートおよびペンタエリスリトールテトラ（メタ）アクリレート；ヘキサ（メタ）アクリレート化合物、例えばジペンタエリスリトールヘキサ（メタ）アクリレート；ペンタ（メタ）アクリレート化合物、例えばジペンタエリスリトールのペンタ（メタ）アクリレート；アリル化合物、例えばアリル（メタ）アクリレート、ジアリルフタレート、ジアリルイタコネート、ジアリルフマレートおよびジアリルマレエート；分子あたり２から８個の基を有するスクロースのポリアリルエーテル、ペンタエリスリトールのポリアリルエーテル、例えばペンタエリスリトールジアリルエーテル、ペンタエリスリトールトリアリルエーテルおよびペンタエリスリトールテトラアリルエーテル；トリメチロールプロパンのポリアリルエーテル、例えばトリメチロールプロパンジアリルエーテルおよびトリメチロールプロパントリアリルエーテルが挙げられる。他のポリ不飽和化合物としては、ジビニルグリコール、ジビニルベンゼン、ジビニルシクロヘキシルおよびメチレンビスアクリルアミドが挙げられる。
【００３８】
別の態様によれば、架橋モノマーは、ポリオールと不飽和無水物、例えばマレイン酸無水物またはイタコン酸無水物とのエステル化反応によって、またはイソシアネート、例えば３−イソプロペニルジメチルベンゼンイソシアネートとの付加反応によって調製できる。
【００３９】
これらのペンダントカルボキシル基によって架橋する以下の不飽和化合物も使用できる：ポリハロアルカノール、例えば１，３−ジクロロイソプロパノールおよび１，３−ジブロモイソプロパノール；ハロエポキシアルカン、例えばエピクロロヒドリン、エピブロモヒドリン、２−メチルエピクロロヒドリンおよびエピクロロヒドリン；ポリグリシジルエーテル、例えば１，４−ブタンジオールジグリシジルエーテル、グリセリン−１，３−ジグリシジルエーテル、エチレングリコールジグリシジルエーテル、プロピレングリコールジグリシジルエーテル、ジエチレングリコールジグリシジルエーテル、ネオペンチルグリコールジグリシジルエーテル、ポリプロピレングリコールジグリシジルエーテル、ビスフェノールＡ−エピクロロヒドリンエポキシ樹脂およびこれらの混合物を使用できる。
【００４０】
Ａ、Ｂ、ＣおよびＤモノマーの割合は、ポリマーの総重量に対して、それぞれ１０から５０％、４０から８０％、０．０５から１５％、０．０５から１０％で変化する。１つの実施形態において、Ａ、Ｂ、ＣおよびＤモノマーの割合は、ポリマーの総重量に対して、それぞれ３０から４５％、５０から６５％、０．０５から１２％および１．５から５％で変化する。
【００４１】
ポリマーは、当業者に既知の方法に従って調製される。より詳細には、これらは、従来のラジカル共重合として既知の方法によって、既知の開始剤および連鎖移動剤の存在下、溶液、バルク中の正または逆エマルション、懸濁液中または適切な溶媒中の沈澱にて、または制御されたラジカル重合手順、例えば可逆的付加フラグメンテーション連鎖移動（ＲＡＦＴ）と呼ばれる方法、原子移動ラジカル重合（ＡＴＲＰ）と呼ばれる方法、ニトロキシドを介した重合（ＮＭＰ）と呼ばれる方法、またはコバロキシムを介したフリーラジカル重合と呼ばれる方法によって得られる。重合は、好ましくはエマルションで行われるべきである。
【００４２】
本発明はまた、連続相およびこの連続相中の懸濁粒子を含む水性化粧料組成物に関しており、この連続相および／またはこの粒子は、化粧料の有効成分を含み、または化粧料の有効成分からなり、６未満（有利なことには４から５の間を含む。）のｐＨを有し、この組成物は上記定義されたような基剤を含む。有効成分に関して言えば体および／または毛髪のための洗浄ベースを含んでいてもよい。こうした組成物において、本発明の基剤の割合は、組成物の総重量に対して０．１から２０重量％、または５から１５重量％で変動できる。
【００４３】
本発明はさらに、透明な連続相およびこの連続相中に分配された懸濁粒子を含み、上記で定義されるようなポリマーの７未満のｐＨを有する安定な水性組成物の調製のための使用に関する。
【００４４】
ここで、本発明は以下の実施例によって非包括的に例示される。
【実施例】
【００４５】
［実施例１］
材料および方法
本発明の利点は、当業者に既知の増粘剤を含む組成物と比較して本発明の組成物の特性を測定することによって示すことができる。
【００４６】
組成物の官能特性
配合した、異なる化粧料組成物、例えばシャワージェル／シャンプーの官能特性を評価し、３ヶ月間熱チャンバー（４５℃）で、貯蔵される。
【００４７】
評価は室温で行う。以下の基準が考慮される：不透明度（透明から不透明への変化、強力な白色）、テクスチャ（滑らかさ、塊、グレインの存在など）、臭い（臭いがあるかどうか）、色（均一性の変化）および表面（平滑または平滑でない。）。
【００４８】
組成物の清浄度または透明度
透明度は、以下の方法で透過率を測定することによって測定される。
【００４９】
測定は、Ｒｏｔｉｌａｂｏ−Ｅｉｎｍａｌ  Ｋｕｖｅｔｔｅｎ  ＰＳを備えたＵＶ  Ｇｅｎｅｓｙｓ  Ｓｐｅｃｔｒｏｍｅｔｅｒ  １０ＵＶ（商標）（Ｃｏｌｅ  Ｐａｒｍｅｒ）、４．５ｍＬの容器において行われる。実際面では、デバイスは使用前に１０分間加熱する。まず、初期測定が、３．８ｍＬの交換水（「ブランク」）で満たされた容器を用いて行われる。次いで測定は、テストされる化粧料組成物の３．８ｍＬ溶液で満たされた容器で行われる。次いで透過率を５００ｎｍの波長で測定する。
【００５０】
％単位で表現される透過率値が高くなれば高くなるほど、化粧料組成物はさらに透明になる。上述されるように、組成物は少なくとも４０％の透過率の値にて透明であると考えられる。
【００５１】
組成物の粘弾性率
異なる配合物の粘弾性率測定は、Ｈａａｋｅ−ＲｈｅｏＳｔｒｅｓｓ  ＲＳ  １５０タイプのレオメーターで行われる。相分離角度（°単位のδ）の変化は、制約τ（０から８００Ｐａのスキャンニング）に依存して、コーンプレートモジュレート（１°）のために、２５℃で測定される。流量制限値（ＹＶ、ＰａまたはＤｙｎ／ｃｍ２）は、これらの測定値から推測される。
【００５２】
組成物の安定性
異なる日焼け防止配合物の安定性テストを行う：
ｔ＝１ヶ月において  サンプルを＋４℃で貯蔵
ｔ＝３ヶ月において  ＋４５℃で貯蔵されるサンプル
潜在的な不安定性、例えば相分離、クリーミング、ブリーディング、放出、堆積／沈降が観察される。
【００５３】
組成物の粘度
この配合物の粘度は、ブルックフィールド粘度計ＲＶＴモデルを用いて測定される。粘度を測定する前に、各配合物は、２５℃で２４時間放置する。モジュールは、フラスコの開放部を中心としなければならない。
【００５４】
次いで、粘度は、適切なモジュールを用いて６ｒｐｍ（毎分の回転数）で測定される。
【００５５】
粘度計を粘度が安定になるまで回転させる。
【００５６】
［実施例２］
角質除去超軟シャンプー
この実施例は、超軟シャンプータイプ化粧料配合物において本発明に記載の基剤の使用を例示し、本発明に従って提供されるレオロジー（懸濁および粘度）および官能特性を示すことを目的とする。
【００５７】
故に、アニオン性および両性イオン界面活性剤に基づくシャンプー配合物から、この組成を表１に示し、先行技術のものおよび本発明に記載のものを含む異なるレオロジー調整剤によって影響を受けるような透明度、粘度および懸濁をこの配合物において検証することを目的とする。表の最終欄に記述される値は、グラム単位の質量を示す。
【００５８】
【表１】
0006445980.tif 000002
【００５９】
配合調製プロトコル：
交換水（１）をビーカーに入れ、次いで異なる成分（２）および（３）を撹拌下で添加する。
【００６０】
全体的に均質にした後、レオロジー調整剤（４）を撹拌下で非常に静かに添加する。
【００６１】
ｐＨを測定し、次いで成分（５）または（６）を用いて５．０±０．１または６．０±０．１または７．０±０．１に調整する。
【００６２】
ｐＨを変化させた後、防腐剤（７）および香料（８）を適度な撹拌を用いてシャンプー配合物に混合する。
【００６３】
角質除去キノア粒子（９）を次いで撹拌によって分散させる。
【００６４】
表２は、この実施例２のテストのフレームワーク内で成分（４）として使用されているすべてのレオロジー調整剤を要約する。これらの量は、組成物の総重量に対して重量％によって示されることに留意されたい。例として、重量パーセンテージが５％である場合、最終生成物１００ｇの配合に対して（４）を５ｇ添加する。
【００６５】
表２において：
ＲＥＦ：参照／ＰＡ：先行技術／ＩＮＶ：本発明／ＯＩ：本発明の範囲外／ＮＡ：適用不可
Ｚ：線状または分岐状脂肪鎖の炭素原子の数
ＥＤＭＡ：エチレングリコールジメタクリレート
ＴＭＰ−ＴＭＡ：トリメチロールプロパントリメタクリレート
ＮＤＭＡ：１，９−ノナンジオールジ（メタ）アクリレート
ＮＰＧＤＥ：ネオペンチルグリコールジグリシジルエーテル
【００６６】
テスト１−１：
成分（４）は、無機塩であり、塩化ナトリウムである。
【００６７】
テスト１−２：
成分（４）は、架橋されたポリアクリレートタイプの架橋されたポリマー添加剤、Ｃａｒｂｏｐｏｌ（Ｒ）ＥＴＤ（Ｌｕｂｒｉｚｏｌ）である。
【００６８】
テスト１−３：
成分（４）は、ＡｑｕａＳＦ１タイプ添加剤（Ｌｕｂｒｉｚｏｌ）である。
【００６９】
テスト１−４：
成分（４）は、エチルアクリレート／メタクリル酸の架橋されたＡＳＥポリマー添加剤である。
【００７０】
テスト１−５から１−１４：
成分（４）は、表２で定義されたＡ、Ｂ、Ｃ、Ｄモノマーの重合から得られるポリマーである；テスト１−５から１−１２だけが、本発明の基剤の使用に対応する。
【００７１】
適用可能な結果を表３および４に示す。
【００７２】
【表２】
0006445980.tif 000003
【００７３】
【表３】
0006445980.tif 000004
【００７４】
【表４】
0006445980.tif 000005
【００７５】
上記表３は、先行技術のポリマーと比較して、本発明に記載のポリマーの優位性を完全に示す。
【００７６】
事実、テスト１−１は、低ｐＨを有する透明配合物になる。他方、角質除去粒子は安定化されない。先行技術のテストは、この範囲のｐＨにおいて配合物が不透明になるので、もはや確実ではない。
【００７７】
同時に、テスト１から３（先行技術）のポリマーを含む配合物および同時にテスト１から６（本発明）のポリマーを含む配合物において行われる１ヶ月（＋４℃）および３ヶ月（＋４５℃）の加速された安定性テスト（表４）は、粒子の安定性における明確な差を示す。粒子の安定性は、本発明の添加剤を組み込む配合物に関して良好である。
【００７８】
［実施例３］
サルフェートを含まない角質除去シャワージェル
この実施例は、以下の成分を組み込む「サルフェートを含まない」補助界面活性剤の使用によって特徴付けられる本発明に記載のポリマーのシャワーゲル配合物への実装に関する（最後の欄の数字は、組成物の総重量に対する重量パーセンテージを示す。）：
【００７９】
【表５】
0006445980.tif 000006
【００８０】
配合調製プロトコル：
交換水（１）をビーカーに入れ、次いで異なる成分（２）および（３）を撹拌下で添加する。
【００８１】
全体的な均質化の後、レオロジー調整剤（４）を撹拌下で非常に静かに添加する。
【００８２】
ｐＨを測定し、次いで成分（５）または（６）を用いて６．０±０．１に調整する。
【００８３】
ｐＨを検証した後、防腐剤（７）および香料（１０）を適切な撹拌を用いて、シャンプー配合物に混合する。
【００８４】
次いで角質除去粒子（８）および（９）を、撹拌下で分散させる。
【００８５】
【表６】
0006445980.tif 000007
【００８６】
【表７】
0006445980.tif 000008
【００８７】
上記表７は、先行技術のポリマーと比較して本発明に記載のポリマーの優位性を示す。透過率の値は、本発明を例示するテストに関して明らかに高い。これは同時に所望の懸濁性能をもたらす。